(57)【要約】      （修正有）【課題】キッチン全体としてのデザインの統一感は保ちつつ、デザインのバリエーションによる部品種類の増加を極力抑えて、コストの低減化を図ることができるコーナーワゴンを提供する。【解決手段】  収納部２ａと、前面板部３と、キャスターとを備え、キッチンキャビネット２２ｂによって構成されたコーナー部２１の、正面の開口部２５から出し入れ自在に収納され、収納時には前面板部３によって開口部２５を閉塞するコーナーワゴン１は、前面板部３が、それぞれ別体に成形されて着脱可能に上下に配された上前面板１１と下前面板１２とからなり、上前面板１１と下前面板１２との境界線が、コーナー部に隣接して上下に配設された上段引き出し２７ａ、２７ｃと下段引き出し２８ａ、２８ｃとの境界線と連なる。【選択図】図６
2008253326.tif 000002
【特許請求の範囲】
【請求項１】
収納部と、該収納部の前面に起立する前面板部と、該収納部の下方に設けられたキャスターとを備え、キッチンキャビネットによって構成されたコーナー部の、入り隅に対向する正面開口部から、該入り隅に向かって出し入れ自在に収納され、収納時には該前面板部によって該正面開口部を閉塞するコーナーワゴンであって、
前記前面板部は、それぞれ別体に成形されて着脱可能に上下に配された上前面板と下前面板とからなり、
前記コーナー部に収納されているとき、前記上前面板と前記下前面板との境界線が、前記コーナー部に隣接して上下に配設された上段引き出しと下段引き出しとの境界線と連なるように形成されていることを特徴とする、コーナーワゴン。
【請求項２】
前記上前面板または前記下前面板は、それぞれ独立して交換可能であることを特徴とする、請求項１に記載のコーナーワゴン。
【請求項３】
前記上前面板または前記下前面板は、それぞれ前記上段引き出し正面の前面板または前記下段引き出し正面の前面板と、色、材質、または形状を等しくすることを特徴とする、請求項１または２に記載のコーナーワゴン。
【発明の詳細な説明】
【技術分野】
【０００１】
本発明は、システムキッチン等のコーナー部に出し入れ自在に収納されるコーナーワゴンに関するものである。
【背景技術】
【０００２】
従来から、キッチンキャビネットをＬ字状に配したシステムキッチンが知られている。このようなシステムキッチンでは、その構造上、入り隅を含むコーナー部に収納スペースとなる奥行きを有してはいるものの、その正面の開口部が幅狭になってしまうことから、使い勝手がよいとはいえず、有効活用することが難しいという問題があった。
【０００３】
このコーナー部の収納スペースの問題を解決するために、出願人は、特許文献１に記載の厨房コーナーの収納装置を提案した。この厨房コーナーの収納装置は、キッチンの入り隅に配置され、コーナー部に設けられた開口部から、この開口部を閉塞するように形成された移動ワゴンを出し入れし、内部に収納物を収納するようになっている。また、この移動ワゴンの両側に形成される内部スペースに合わせて三角柱状の収納ラックも配置され、これらの収納ラックも開口部から出し入れすることができる。
【０００４】
この厨房コーナーの収納装置によって、キッチンのコーナー部のスペースを有効活用することが可能となり、使い勝手が向上した。
【特許文献１】特開２００２−２８０３９号公報
【発明の開示】
【発明が解決しようとする課題】
【０００５】
ところで、今般のシステムキッチンでは、その収納部分が開き戸ではなく、引き出しを上下に配してなるものが開発されており、このようなキッチンでは、キッチンのシリーズやデザインコンセプトによって、引き出しの前面板の色や形状等にバリエーションを持たせることが行なわれている。
【０００６】
たとえば、最下段の引き出しである足下収納庫の上部に取手を設ける場合に、足下収納庫の前面板の下方において後方に向かってなだらかに傾斜する傾斜面を設けるとともに、上縁には前方に突出した突条を延設したり、あるいは、前面板の上方に水平に延びる溝を形成したりして、コンセプトに合ったデザインを提供できるように、形状に変化をもたせることが可能となった。
【０００７】
このように、足下収納庫の前面板の形状、さらには引き出しの前面板の色を変えることによって、キッチンデザインに相当多くのバリエーションをもたせることも可能となる。
【０００８】
そして、これらのシステムキッチンに、コーナー部に用いられる上述した移動ワゴン（コーナーワゴン）を設ける場合、デザインの統一感という観点からは、コーナーワゴンの前面板についても、できるだけその左右に配される上下段の引き出しの前面板に合わせることが望ましい。
【０００９】
しかしながら、このようにデザインのバリエーションが多くなると、たとえば、複数のシステムキッチン間において、上段に配される引き出しの前面板が同じものであったとしても、下段に配される足下収納庫の前面板の形状が異なれば、上下段に組み合わされた引き出しの前面板の形状と同様の形状にブロー成形されたコーナーワゴンの前面板も、デザインのバリエーションに合わせて準備する必要が生じ、コーナーワゴンの前面板の種類を著しく増加させることになる。また、引き出しの前面板の色が異なれば、さらにそれぞれの色ごとにコーナーワゴンの前面板を準備する必要が出てくる。
【００１０】
このように、デザインのバリエーション増加に伴って、システムキッチンの上下段に組み合わされた引き出しの前面板の形状、およびその色、さらには材質等によっても相当な種類のコーナーワゴンの前面板を準備する必要が生じており、部品種類の増加、ひいてはコストの増加を招来する。
【００１１】
本発明は、近年のデザインのバリエーション増加に伴って生じる上記問題点に鑑みてなされたものであり、本発明の目的は、複数のデザインバリエーションのあるシステムキッチン等に用いられる場合にも、キッチン全体としてのデザインの統一感を保ちつつ、デザインのバリエーションによる部品種類の増加を極力抑えて、コストの低減化を図ることができるコーナーワゴンを提供することである。
【課題を解決するための手段】
【００１２】
上記課題を解決するために、本発明のある観点によれば、収納部と、収納部の前面に起立する前面板部と、収納部の下方に設けられたキャスターとを備え、キッチンキャビネットによって構成されたコーナー部の、入り隅に対向する正面開口部から、入り隅に向かって出し入れ自在に収納され、収納時には前面板部によって正面開口部を閉塞するコーナーワゴンであって、前面板部は、それぞれ別体に成形されて着脱可能に上下に配された上前面板と下前面板とからなり、コーナー部に収納されているとき、上前面板と下前面板との境界線が、コーナー部に隣接して上下に配設された上段引き出しと下段引き出しとの境界線と連なるように形成されていることを特徴とする、コーナーワゴンが提供される。
【００１３】
上記構成によれば、コーナーワゴンの前面板部が、それぞれ別体に成形された上前面板と下前面板とからなるので、色、材質、形状をそれぞれの板で独立して選択することが可能となり、所望する上前面板と下前面板とを組み合わせることによって、隣接する上段引き出しおよび下段引き出しの色、材質、形状等に合わせることが可能となる。また、コーナーワゴンがコーナー部に収納された際には、上前面板と下前面板との境界線が、隣接する上段引き出しと下段引き出しとの境界線と連なるようになっているので、正面から見たときに、水平ラインが一直線に揃った統一感のある印象を与えることができる。
【００１４】
したがって、複数のデザインバリエーションのあるシステムキッチン等に用いられる場合においても、キッチン全体としてのデザインの統一感を保ちつつ、デザインのバリエーションによる部品種類の増加を極力抑えて、コストの低減化を図ることができる。
【００１５】
上前面板または下前面板は、それぞれ独立して交換可能であるとしてもよい。
【００１６】
かかる構成により、コーナーワゴンを設置するシステムキッチンの色、材質、形状等に変更があったとしても、コーナーワゴンの一部である上前面板または下前面板のみを交換することで容易にその変更に合わせることが可能となる。
【００１７】
上前面板または下前面板は、それぞれ上段引き出し正面の前面板または下段引き出し正面の前面板と、色、材質、または形状を等しくするとしてもよい。
【００１８】
このように、色や材質をシステムキッチンと統一することで、色彩面や材質面においても、より統一感のとれた外観を形成することができる。また、従来、一枚板で形成されていた前面板部のデザインの汎用性の無さが、他の引き出し等の変更を妨げていたが、かかる前面板部も他の引き出し同様に容易に上下に分けてデザインの変更を可能とすることで、システムキッチン全体の模様替えを促し、販売促進を図ることも可能となる。
【発明の効果】
【００１９】
本発明のコーナーワゴンによれば、複数のデザインバリエーションのあるシステムキッチン等に用いられる場合にも、キッチン全体としてのデザインの統一感を保ちつつ、デザインのバリエーションによる部品種類の増加を極力抑えて、コストの低減化を図ることが可能となる。
【発明を実施するための最良の形態】
【００２０】
本発明にかかるコーナーワゴンの実施形態について説明する。図１は本実施形態にかかるコーナーワゴンの斜視図であり、図２はコーナーワゴンの平面図であり、図３はコーナーワゴンの前面板部を示す図、特に（ａ）は正面図、（ｂ）は一部背面斜視図であり、図４はコーナーワゴンの上前面板を示す図であり、図５はコーナーワゴンの下前面板を示す図であり、図６および図７はコーナーワゴンの使用状態を示す図である。なお、以下の実施例に示す材料、その他は、発明の理解を容易とするための例示に過ぎず、特に断る場合を除き、本発明を限定するものではない。
【００２１】
図１、図２に示すように、コーナーワゴン１は、食品等の物を収納するための２つの収納部２ａ、２ｂと、収納部２ａ、２ｂの前面に起立する前面板部３と、収納部２ａ、２ｂの下方に設置された４つのキャスター４とを含んで構成される。
【００２２】
２つの収納部２ａ、２ｂは、上下に配置されて２本の支柱５によって連結および支持され、それぞれ底板６ａ、６ｂと、その底板６ａ、６ｂの、前方を除く周縁に起立し収納物の転び止めとして機能する周壁７ａ、７ｂとからなる。収納部２ａ、２ｂは、その前部８ａ、８ｂがＬ字形状に凹み、また後部９ａ、９ｂがこれに対応するようにＬ字状に突出して形成される。後部９ａ、９ｂは後述する入り隅２４に合致するようになっている。
【００２３】
下段に配された収納部２ｂの底板６ｂからは、下方に脚柱１０が延設され、この脚柱１０の端部にはそれぞれキャスター４が設けられており、コーナーワゴン１を容易に移動させることができる。
【００２４】
前面板部３は、図３（ａ）、（ｂ）に示すように、正面視縦長の略長方形状を呈し、別体に成形された上前面板１１と下前面板１２とが上下に連結してなる。上前面板１１と下前面板１２とは、後述するシステムキッチン２０の引き出し２７ａ、２７ｃの前面板３０ａ、３０ｃ等と同一の色で統一されている。
【００２５】
上前面板１１の背面側には、図４（ａ）、（ｂ）、（ｃ）に示すように、下方に下前面板１２と連結するために凹凸に形成された嵌合部１４が設けられるとともに、上下方向略中央に収納部２ａの前部８ａと係合するための係合溝１５が形成されている。一方、上前面板１１の正面側には、上方に取手１３が取り付けられている。
【００２６】
下前面板１２の正面側は、後述するシステムキッチン２０の足下収納庫２８ａ、２８ｃの前面板３１ａ、３１ｃと、その高さ、形状がほぼ等しくなるように成形されており、図５（ａ）、（ｂ）、（ｃ）に示すように、下前面板１２の正面側の下方には、なだらかに後方に向かって傾斜する傾斜面１６が形成され、正面側の上縁には前方に突出した突条１７が延設されている。さらに、突条１７の上方には上前面板１１と連結するために凹凸に形成された嵌合部１８が設けられている。一方、下前面板１２の背面側には、収納部２ｂの前部８ｂと係合するための係合溝１９が形成されている。
【００２７】
これらの上前面板１１の嵌合部１４と下前面板１２の嵌合部１８とを嵌合し、さらにねじで固定して前面板部３を形成する。
【００２８】
上前面板１１と下前面板１２とから形成される前面板部３は、上面視Ｌ字状に凹んで、左右方向中央が後方に突出した形状となっている（図２参照）。この凹みは、収納部２ａ、２ｂの前部８ａ、８ｂの形状に合致するように形成されており、上前面板１１の係合溝１５に収納部２ａの前部８ａが係合するとともに、下前面板１２の係合溝１９に収納部２ｂの前部８ｂが係合し、それぞれがねじ止め等で固定されることで、前面板部３が収納部２ａ、２ｂに取り付けられる。
【００２９】
このように構成されたコーナーワゴン１は、たとえば、図６および図７に示すように、Ｌ字状のシステムキッチン２０等のコーナー部２１に収納されて用いられる。システムキッチン２０は、キッチンキャビネット２２ａ、２２ｂ、２２ｃをＬ字状に配置し、それぞれをボルトナット等によって連結固定するとともに、その上面にＬ字状に成形したステンレス鋼板等の天板２３を載置し固定することによって、形成される。
【００３０】
システムキッチン２０のコーナー部２１では、キッチンキャビネット２２ｂの入り隅２４に対抗する正面の位置に、正面視縦長長方形状の開口部（正面開口部）２５が形成されている。この開口部２５から奥の入り隅２４に向かってコーナーワゴン１が挿入されて、キッチンキャビネット２２ｂの内部に出し入れ自在に収納されるようになっている。このとき、コーナーワゴン１の収納部２ａ、２ｂの後部９ａ、９ｂが入り隅２４に合致するようにＬ字状に突出しているので、入り隅２４によって形成される空間に至るまで収納スペースとして無駄なく活用することができるようになっている。
【００３１】
また、コーナーワゴン１がキッチンキャビネット２２ｂに完全に収納されたときには、コーナーワゴン１の前面板部３によってキッチンキャビネット２２ｂの開口部２５が閉塞されるようになっている（図７参照）。
【００３２】
キッチンキャビネット２２ｂの左右に隣接して配置されたキッチンキャビネット２２ａ、２２ｃには、それぞれ引き出し２６ａ、２６ｃと、上段引き出しとしての引き出し２７ａ、２７ｃと、下段引き出しとしての足下収納庫２８ａ、２８ｃとが上下方向に配設されている。引き出し２６ａ、２６ｃの正面に位置する前面板２９ａ、２９ｃ、引き出し２７ａ、２７ｃの正面に位置する前面板３０ａ、３０ｃ、および足下収納庫２８ａ、２８ｃの正面に位置する前面板３１ａ、３１ｃは、すべて同一色で統一されている。
【００３３】
また、足下収納庫２８ａ、２８ｃの前面板３１ａ、３１ｃは、コーナーワゴン１の下前面板１２と同様、その正面側の下方には、なだらかに後方に向かって傾斜する傾斜面３２ａ、３２ｃが形成されるとともに、正面側の上縁には前方に突出した突条３３ａ、３３ｃが延設されている。そして、この突条３３ａ、３３ｃが足下収納庫２８ａ、２８ｃを引き出すための取手としての機能を有するようになっている。
【００３４】
また、足下収納庫２８ａ、２８ｃの前面板３１ａ、３１ｃは、その高さもコーナーワゴン１の下前面板１２と略同一になっており、コーナーワゴン１がキチンキャビネット２２ｂに収納された際には、コーナーワゴン１の前面板部３の上前面板１１と下前面板１２との境界線Ｌｂが、引き出し２７ａ、２７ｃと足下収納庫２８ａ、２８ｃとの境界線Ｌａ、Ｌｃと連なって、一直線上に並ぶようになっている。
【００３５】
このように、コーナーワゴン１をシステムキッチン２０に用いることで、コーナーワゴン１がキッチンキャビネット２２ｂに収納された際にも、正面から見たときに、水平ラインが一直線に揃った統一感のある印象を与えることができる。また、コーナーワゴン１が左右に隣接するキッチンキャビネット２２ａ、２２ｃと、色、形状等もマッチして、デザイン上の統一が図られ、キッチン全体として調和のとれたものとなる。
【００３６】
ところで、システムキッチンのシリーズやコンセプトによって、システムキッチン全体のデザインにバリエーションを持たせるため、たとえばシステムキッチン２０の足下収納庫２８ａ、２８ｃの前面板３１ａ、３１ｂの形状を変えることが、行なわれている。たとえば、図６に示した足下収納庫２８ａ、２８ｃに代えて（交換して）、異なった色、形状の前面板を有する足下収納庫をシステムキッチン２０に組み合わせてもよい。
【００３７】
このように、引き出し２６ａ、２６ｃおよび引き出し２７ａ、２７ｃはそのままに、足下収納庫２８ａ、２８ｃを異なった形状の前面板を有する足下収納庫に代えるだけでも、システムキッチンのデザインに変化を持たせることができるが、この場合、コーナーワゴン１の前面板部３とのデザインの統一感の問題が生じる。したがって、足下収納庫を代える場合には、コーナーワゴンの前面板部についても、足下収納庫の前面板の形状の変更に合わせて、変更を加えることが望ましい。
【００３８】
ここで、コーナーワゴン１の前面板部３は、上前面板１１と下前面板１２とが独立して別体に形成されているので、前面板部３すべてを合わせて取り替える必要がない。すなわち、変更した足下収納庫の前面板に装された形状の意匠と略同一の意匠を有する下前面板を成形し、この下前面板を、下前面板１２の代わりに、上前面板１１と連結させるだけでよく、上前面板１１についてはそのまま活用することができる。
【００３９】
また、上前面板１１と下前面板１２とは、互いに嵌り合った嵌合部１４と嵌合部１８とがねじ止めで固定されているだけなので、嵌合部１８と同じ形状の嵌合部を新たに成形した下前面板に備えさせておけば、下前面板１２の代わりに、新たな下前面板を上前面板１１と連結させることは極めて容易である。
【００４０】
このように、本実施形態にかかるコーナーワゴンでは、隣接して配設された引き出しの形状に合わせて、下前面板または上前面板のみを取り替えればよいので、従来のように前面板部を一体として成形した場合と比較して、無駄が少なく、それぞれを組み合わせることによって、前面板部の構成部品（上前面板および下前面板）を有効に活用することができる。したがって、コーナーワゴンの前面板部全体をシステムキッチンのデザインバリエーションごとに準備する必要がなく、キッチン全体としてのデザインの統一感を維持しつつも、前面板部の種類の増加を極力抑えることができ、コストの低減化を図ることができる。
【００４１】
また、かかるコーナーワゴン１（システムキッチン２０の購入者）により多くの色の選択肢を提供するために、最下段の足下収納庫２８ａ、２８ｃの前面板は、例えばステンレス色で統一しつつも、それより上段に配される引き出しの前面板には多様な色のバリエーションを揃えるようなことも行なわれるが、このような場合にも本実施形態にかかるコーナーワゴンは好適である。
【００４２】
従来のように、コーナーワゴン１の前面板部３を一体として形成した場合は、たとえば、足下収納庫より上段の引き出しに相当する部分に、必要に応じて化粧合板を貼り付けたり、塗装をほどこしたりして、デザインの統一を図らなければならなかったが、本実施形態にかかるコーナーワゴンのように、上前面板と下前面板とを別体にして前面板部を構成したことで、塗装等の加工を行なう必要がなく、下前面板についてはステンレス鋼板で成形したものを準備しておけば、これに異なる色の上前面板を組み合わせるだけで、容易に統一感のある多様な色のバリエーションのシステムキッチンを提供することができる。
【００４３】
また、本実施形態にかかるコーナーワゴン１では、従来の前面板部３を一体として形成する場合では不可能だった、前面板部の異なる材質の組み合わせを実現することも容易に可能となる。たとえば、足下収納庫の前面板をステンレス鋼板としつつ、上段の引き出しの前面板はその材質を異ならせる場合であっても、従来のように一方を犠牲にして化粧合板の貼付や塗装等の加工で類似を図るのではなく、下前面板については隣接する足下収納庫の前面板と同様のステンレス鋼板で、これに組み合わせる上前面板については隣接する引き出しの前面板と同様の材質で、それぞれ成形することで、容易に足下収納庫、引き出し双方との材質の統一を図ることができ、色、形状だけでなく、材質まで統一されたより高級感のあるシステムキッチンを容易に提供することができる。
【００４４】
上記説明した如く、本実施形態にかかるコーナーワゴンにおいては、その前面板部３がそれぞれ別体に成形されて上下に配された上前面板１１と下前面板１２とから構成されることにより、複数のデザインバリエーションのあるシステムキッチン等に用いられる場合にも、キッチン全体としてのデザインの統一感は保ちつつ、デザインのバリエーションによる部品種類の増加を極力抑えて、コストの低減化を図ることができる。
【００４５】
なお、上記実施形態において、上前面板１１と下前面板１２とは、嵌り合った嵌合部１４と嵌合部１８とがねじ止めで固定されて、連結されているとして説明した。しかし、本発明はこれに限定するものではなく、上前面板１１と下前面板１２とは直接連結固定されなくても、たとえば、上前面板１１が収納部２ａの前部８ａに固定されるとともに、下前面板１２が収納部２ｂの前部８ｂに固定されることによって、コーナーワゴン１の前面板部３が上前面板１１と下前面板１２とによって構成されるようにしてもよい。
【００４６】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は、システムキッチン等のコーナー部に出し入れ自在に収納される移動ワゴンとして利用することができる。
【図面の簡単な説明】
【００４８】
【図１】コーナーワゴンの斜視図である。
【図２】コーナーワゴンの平面図である。
【図３】コーナーワゴンの前面板部を示し、（ａ）は正面図、（ｂ）は一部背面斜視図である。
【図４】コーナーワゴンの上前面板における、（ａ）は正面図、（ｂ）は一部背面斜視図、（ｃ）は背面図である。
【図５】コーナーワゴンの下前面板における、（ａ）は正面図、（ｂ）は一部背面斜視図、（ｃ）は背面図である。
【図６】コーナーワゴンの使用状態を示す図である。
【図７】コーナーワゴンの使用状態を示す図である。
【符号の説明】
【００４９】
１               …コーナーワゴン
２ａ、２ｂ       …収納部
３               …前面板部
４               …キャスター（キャスター）
１１              …上前面板
１２              …下前面板
２１              …コーナー部
２２ａ、２２ｂ、２２ｃ   …キッチンキャビネット
２４             …入り隅
２５             …開口部（正面開口部）
２７ａ、２７ｃ    …引き出し（上段引き出し）
２８ａ、２８ｃ   …足下収納庫（下段引き出し）
３０ａ、３０ｃ    …（引き出しの）前面板
３１ａ、３１ｃ   …（足下収納庫の）前面板
Ｌａ、Ｌｂ、Ｌｃ  …境界線
【図１】
2008253326.tif 000003
【図２】
2008253326.tif 000004
【図３】
2008253326.tif 000005
【図４】
2008253326.tif 000006
【図５】
2008253326.tif 000007
【図６】
2008253326.tif 000008
【図７】
2008253326.tif 000009